(57)【特許請求の範囲】
【請求項１】
第１挟持部を有する支持部材と、第２挟持部を有する脚部材と、組み合わせた支持部材と脚部材を締め付け固定するボルトとからなり、支持部材に形成した凹陥部に脚部材を嵌め入れて第１挟持部と第２挟持部とで手摺の握り棒を受け止める受止部を構成し、この脚部材と支持部材をボルトで締め付けて手摺の握り棒を挟持固定することを特徴とする手摺用ブラケット。
【請求項２】
第１挟持部を有する支持部材に形成した凹陥部に、第２挟持部を有する脚部材を嵌め入れて、第１挟持部と第２挟持部とで手摺の握り棒を受け止める受止部を構成し、この受止部に手摺の握り棒を仮置きできるようになした請求項１に記載の手摺用ブラケット。
【請求項３】
第１挟持部を有する支持部材に形成した凹陥部に、第２挟持部を有する脚部材を嵌め入れることができるようになし、脚部材の両側部に突設した回動軸を、この凹陥部の両側部に形成したＵ字形の軸受け凹部に嵌め入れ、脚部材は凹陥部のなかで回動軸を中心に前後に揺動することにより、受止部を構成する第１挟持部と第２挟持部が開閉できるようになされたことを特徴とする請求項１ないし請求項２に記載の手摺用ブラケット。
【発明の詳細な説明】
【技術分野】
【０００１】
本発明は、手摺の握り棒を支持固定する手摺用ブラケットに関する。
【背景技術】
【０００２】
従来、握り棒Ｂを挟持する一対の挟持部材ａ，ｂに、握り棒Ｂの外周に沿って湾曲する受止部ｃと、その基端から下方へ延びる支持部ｄ，ｅを形成し、両挟持部材ａ，ｂの支持部ｄ，ｅ同士を突合面ｆ，ｇで突き合わせてボルトｈで締め付ける手摺用ブラケットが知られている（特許文献１参照）。
【特許文献１】特開２００５−１２０５９２号公報（図４）
【発明の開示】
【発明が解決しようとする課題】
【０００３】
しかしながら、このような従来知られている手摺用ブラケットは、両挟持部材ａ，ｂの支持部ｄ，ｅ同士を突合面ｆ，ｇで突き合わせてボルトｈで締め付けなければ手摺の握り棒Bを受け止めることができない構成となっている。加えて、受止部ｃの湾曲形状が一義的に決まる上、ボルトｈが緩んで外れると握り棒Bが手摺用ブラケットから落下するおそれもある。
【０００４】
長尺の握り棒を取付け固定する作業を行う場合、手摺用ブラケットを取り付けた複数本の支柱を適当な間隔で用いるが、握り棒の水平や傾斜などをできるだけ正確にとるため、握り棒を手摺用ブラケットに仮置きしておきたいことがある。
【０００５】
そこで、この発明は、手摺の握り棒の仮置きができたり、たとえボルトが外れても握り棒が手摺用ブラケットから不意に落下したりすることのない手摺用ブラケットを提供しようとするものである。
【課題を解決するための手段】
【０００６】
上記課題を解決するため、この発明に係る手摺用ブラケットは、第１挟持部を有する支持部材と、第２挟持部を有する脚部材と、これら支持部材と脚部材を組み付け固定するボルトとからなり、支持部材に形成した凹陥部に脚部材を嵌め入れて第１挟持部と第２挟持部とで手摺の握り棒を受け止める受止部を構成し、この脚部材と支持部材をボルトで締め付けて、この受止部で手摺の握り棒を挟持固定できるようにした。
【発明の効果】
【０００７】
支持部材に形成した凹陥部に脚部材を単に嵌め入れるだけで、脚部材と支持部材をボルト締めしなくても、第１挟持部と第２挟持部とで手摺の握り棒を受け止める受止部が構成できるため、長尺の握り棒の取付け固定作業を行う場合、受止部に握り棒の仮置きができる。また、たとえボルトが外れても握り棒が手摺用ブラケットから不意に落下したりすることがない。
【発明を実施するための最良の形態】
【０００８】
以下、本発明の実施形態を図面に基づいて説明する。
【０００９】
図１は、本発明に係る手摺用ブラケット２０の分解斜視図、図２は、支持部材４の上部に形成した第１挟持部１と、脚部材５の上部に形成した第２挟持部２を組付けて、手摺の握り棒Ｂを受け止める受止部３を構成した斜視図、図３は、脚部材５と支持部材４をボルト７で締め付けて受止部３を構成した手摺用ブラケット２０の側面図である。
【００１０】
手摺用ブラケット２０は、手摺の握り棒Ｂを挟持固定する、第１挟持部１を有する支持部材４と、第２挟持部２を有する脚部材５と、ボルト７とからなり、支持部材４に形成した凹陥部４１に脚部材５を嵌め入れて第１挟持部１と第２挟持部２とで手摺の握り棒Ｂを受け止める受止部３を構成し、この脚部材５と支持部材４をボルト７で締め付けて、受止部３で手摺の握り棒Ｂを挟持固定するものである。閉じた受止部３の内周形状は、手摺の握り棒Ｂの外周に沿って湾曲する形状になされている。
【００１１】
上部に第１挟持部１を有する支持部材４内には、上面から凹陥部４１を形成するとともに、この凹陥部４１の両側部にＵ字形の軸受け凹部４２を同じく上面から形成している。また、支持部材４の前側部にあたる凹陥部４１の前壁４３には、大きめの長円穴８とこの長円穴８の内側に相似形の小長円穴９が上下に長く形成されている。小長円穴９にボルト７のネジ軸部７１が貫入され、この小長円穴９の周囲に形成した座縁４４にボルト７の頭部７２が受け止められるようになされている。なお、前記前壁４３の上面は次のように形成されている。上面の左右方向中ほどには水平面４５が形成され、この水平面４５の両側部には水平面４５を下端とする傾斜面４６が形成されている。傾斜面４６の上端は支持部材４の前後方向の中ほどに達し、第１挟持部１の面より第２挟持部２の板厚分下方へ落ちたところに位置せしめられている。つまり、水平面４５は、両傾斜面４６，４６からやや下がった位置に形成されていることになる。
【００１２】
第２挟持部２を有する脚部材５は、前記した支持部材４の凹陥部４１に嵌め入れられるものである。脚部材５の両側部にはそれぞれ回動軸５１が突設され、この脚部材５の前後板厚は下方に行くにしたがってやや薄くなるように形成されている。また、脚部材５には板厚方向にネジ孔５２が形成され、このネジ孔５２に前記したボルト７のネジ軸部７１がねじ込まれるようになされている。第２挟持部２の外面下部の中央部には平面状の肩部５３を形成している。この平面状の肩部５３と脚部材５の前側面部５４とが連続形成されているが、この前側面部５４と肩部５３がなす角度Ａは約１１０度から１２０度くらいである。
【００１３】
このように、第１挟持部１を有する支持部材４と、第２挟持部２を有する脚部材５と、ボルト７とからなる本発明の手摺用ブラケット２０は、支持部材４に形成した凹陥部４１に脚部材５を嵌め入れて第１挟持部１と第２挟持部２とで手摺の握り棒Ｂを受け止める受止部３を構成し、この脚部材５と支持部材４をボルト７で締め付けて、受止部３で握り棒Ｂを挟持固定するものである。
【００１４】
支持部材４に形成した凹陥部４１に脚部材５を嵌め入れるとともに、脚部材５の両側部に突設した回動軸５１を、この凹陥部４１の両側部に形成したＵ字形の軸受け凹部４２に嵌め入れる。脚部材５の前後板厚は下方に行くにしたがってやや薄くなるように形成されているため、脚部材５は凹陥部４１のなかで回動軸５１を中心に前後に揺動できる。つまり、前記した受止部３を構成する第１挟持部１と第２挟持部２は開閉できるのである。
【００１５】
第１挟持部１と第２挟持部２とが開いた状態では、第２挟持部２の外面下部の中央部に形成した平面状の肩部５３が、支持部材４の前壁４３の上面に形成した水平面４５に接触されるとともに、前記した平面状肩部５３の両側部に存在する第２挟持部２の湾曲した外面下部が、支持部材４の前壁４３の上面に形成した水平面４５の両側部に存在する両傾斜面４６，４６に接触される。第１挟持部１と第２挟持部２とが開いた状態で構成される受止部３には、手摺の握り棒Ｂを上方から自由に嵌め入れたり、出したりすることができる。
【００１６】
受止部３に嵌めた手摺の握り棒Ｂを締め付け固定する場合、支持部材４の前壁４３に形成した大きめの長円穴８から小長円穴９にボルト７のネジ軸部７１を貫入させ、ネジ軸部７１を脚部材５に形成したネジ孔５２にねじ込む。小長円穴９の周囲に形成した座縁４４に、ねじ込まれたボルト７の頭部７２が受け止められ、手摺の握り棒Ｂは第１挟持部１と第２挟持部２によって挟持され、締め付け固定される。
【００１７】
なお、本発明の手摺用ブラケット２０は、手摺の握り棒Ｂを支柱Ｐで支持するためのものであり、支柱Ｐの上端に形成した二股状の接続部ＣにボルトＣ１を介して左右に揺動可能に取り付けられる。符号４７は支持部材４に形成したボルト貫通穴で、Ｃ２は支柱Ｐの接続部Ｃに形成したネジ穴である。支柱Ｐの上端に形成した二股状の接続部Ｃに支持部材４を嵌め入れ、適合させたボルト貫通穴４７とネジ穴Ｃ２にボルトＣ１をねじ込むことで、手摺用ブラケット２０は支柱Ｐに対して取り付けられる。
【００１８】
本発明に係る手摺用ブラケット２０の特徴の一つが、支持部材４に形成した凹陥部４１に脚部材５を単に嵌め入れるだけで、脚部材５と支持部材４をボルト７で締め付け固定しなくても、第１挟持部１と第２挟持部２とで手摺の握り棒Ｂを受け止める受止部３が構成できることにある。
【産業上の利用可能性】
【００１９】
本発明に係る手摺用ブラケットは、住宅や各種施設の新築やリフォームなどの際に有効に利用できる。
【図面の簡単な説明】
【００２０】
【図１】本発明に係る手摺用ブラケットの分解斜視図。
【図２】第１挟持部を有する支持部材に形成した凹陥部に、第２挟持部を有する脚部材を嵌め入れて構成した受止部の斜視図。
【図３】支柱に取り付けた手摺用ブラケットの側面図。
【図４】支持部材と脚部材の縦断面図。
【図５】従来の手摺用ブラケットの縦断面図。
【符号の説明】
【００２１】
１  第１挟持部
２  第２挟持部
２０手摺用ブラケット
３  受止部
４  支持部材
４１凹陥部
５  脚部材
５１回動軸
５２ネジ孔
７  ボルト
９  小長円穴
Ｂ  手摺の握り棒
【図１】
0004652922.tif 000002
【図２】
0004652922.tif 000003
【図３】
0004652922.tif 000004
【図４】
0004652922.tif 000005
【図５】
0004652922.tif 000006